(57)【要約】【課題】原稿から読み取られた画像データが着脱可能な不揮発性メモリに保存されるときの機密性を保持できる画像読取装置を提供する。【解決手段】ＭＰＵ１１は、ＣＣＤ１４によって原稿３１から読み取られた画像データを、原稿３１のＲＦＩＤタグ３３から読み取った情報に基づいて機密にすべきと判断した場合に、閲覧にパスワードの入力を必要とするプロテクトをかけた態様で、画像データをＵＳＢメモリ３５に保存する。【選択図】図１
2009177379.tif 000002
【特許請求の範囲】
【請求項１】
原稿から画像を読み取る画像読取部と、
前記原稿に付与されたＲＦＩＤタグから情報を読み出すＲＦＩＤリーダと、
着脱可能な不揮発性メモリが接続されるメモリ接続部と、
制御部とを備え、
前記制御部は、前記画像読取部が前記原稿から読み取った画像データを、前記ＲＦＩＤリーダが前記ＲＦＩＤタグから読み取った情報に基づいて機密にすべきと判断した場合に、閲覧にパスワードの入力を必要とするプロテクトをかけた態様で、前記画像データを前記メモリ接続部に接続された前記不揮発性メモリに保存することを特徴とする画像読取装置。
【請求項２】
請求項１に記載の画像読取装置において、
前記パスワードが記憶された記憶部をさらに備え、
前記制御部は、前記画像データを、前記記憶部に記憶された前記パスワードを用いて前記プロテクトをかけた態様で前記不揮発性メモリに保存することを特徴とする画像読取装置。
【請求項３】
請求項１に記載の画像読取装置において、
前記制御部は、前記画像データを、前記ＲＦＩＤリーダが前記ＲＦＩＤタグから読み取ったパスワードを用いてプロテクトをかけて前記不揮発性メモリに保存することを特徴とする画像読取装置。
【請求項４】
請求項１ないし請求項３のいずれかに記載の画像読取装置において、
前記不揮発性メモリはフラッシュメモリであることを特徴とする画像読取装置。
【請求項５】
請求項１ないし請求項４のいずれかに記載の画像読取装置において、
前記制御部は、前記画像読取部が前記原稿から読み取った画像データを機密にすべきと判断した場合に、ファイルを開くのに前記パスワードの入力を必要とするプロテクトをかけた態様で、前記画像データを前記不揮発性メモリに保存することを特徴とする画像読取装置。
【請求項６】
請求項１ないし請求項４のいずれかに記載の画像読取装置において、
前記制御部は、前記画像読取部が前記原稿から読み取った画像データを機密にすべきと判断した場合に、前記パスワードを用いて前記画像データを暗号化して前記不揮発性メモリに保存することを特徴とする画像読取装置。
【発明の詳細な説明】
【技術分野】
【０００１】
本発明は、画像読取装置に関する。
【背景技術】
【０００２】
近年、原稿にＲＦＩＤ（Radio Frequency Identification）タグを取り付けて管理することが提案されている。特許文献１には、ユーザが入力したパスワードと、画像読取装置のＲＦＩＤリーダがＲＦＩＤタグから読み取ったパスワードとが一致した場合に、原稿の読み取りを許可する技術が開示されている。また、特許文献２には、ＲＦＩＤタグに原稿が機密書類か、機密書類ならどのような画像処理を施してプリントアウトするかが記憶され、機密にする部分を白又は黒で塗りつぶしてプリントアウトする技術が開示されている。
【０００３】
一方、複合機に着脱自在なフラッシュメモリ（コンパクトフラッシュ（登録商標）、ＵＳＢ（Universal Serial Bus）メモリ等）を接続して、画像データが書き込める技術も提案されている（特許文献３）。このような場合、機密書類を読み取ったデータもフラッシュメモリに保存でき、これを他の複合機でプリントする、あるいはコンピュータに接続して書類を閲覧できる。このため、読み取られた画像データがフラッシュメモリ等に保存される際の機密漏洩のための対策が必要である。
【特許文献１】特開２００７−１１３０４号公報
【特許文献２】特開２００４−３３６４３１号公報
【特許文献３】特開２００６−１３５９０８号公報
【発明の開示】
【発明が解決しようとする課題】
【０００４】
そこで、本発明の解決すべき課題は、原稿から読み取られた画像データが着脱可能な不揮発性メモリに保存されるときの機密性を保持できる画像読取装置の提供である。
【課題を解決するための手段】
【０００５】
上記の課題を解決するため、本発明に係る画像読取装置は、原稿から画像を読み取る画像読取部と、前記原稿に付与されたＲＦＩＤタグから情報を読み出すＲＦＩＤリーダと、着脱可能な不揮発性メモリが接続されるメモリ接続部と、制御部とを備え、前記制御部は、前記画像読取部が前記原稿から読み取った画像データを、前記ＲＦＩＤリーダが前記ＲＦＩＤタグから読み取った情報に基づいて機密にすべきと判断した場合に、閲覧にパスワードの入力を必要とするプロテクトをかけた態様で、前記画像データを前記メモリ接続部に接続された前記不揮発性メモリに保存する。
【０００６】
また本発明に係る画像読取装置において、前記パスワードが記憶された記憶部をさらに備え、前記制御部は、前記画像データを、前記記憶部に記憶された前記パスワードを用いて前記プロテクトをかけた態様で前記不揮発性メモリに保存する。
【０００７】
また本発明に係る画像読取装置において、前記制御部は、前記画像データを、前記ＲＦＩＤリーダが前記ＲＦＩＤタグから読み取ったパスワードを用いてプロテクトをかけて前記不揮発性メモリに保存する。
【０００８】
また本発明に係る画像読取装置において、前記不揮発性メモリはフラッシュメモリである。
【０００９】
また本発明に係る画像読取装置において、前記制御部は、前記画像読取部が前記原稿から読み取った画像データを機密にすべきと判断した場合に、ファイルを開くのに前記パスワードの入力を必要とするプロテクトをかけた態様で、前記画像データを前記不揮発性メモリに保存する。
【００１０】
また本発明に係る画像読取装置において、前記制御部は、前記画像読取部が前記原稿から読み取った画像データを機密にすべきと判断した場合に、前記パスワードを用いて前記画像データを暗号化して前記不揮発性メモリに保存する。
【発明の効果】
【００１１】
本発明によれば、原稿に付与されたＲＦＩＤタグから読み取られた情報に基づいて画像データが機密にすべきと判断された場合には、閲覧にパスワードの入力を必要とするプロテクトをかけた態様で、画像データが不揮発性メモリに保存される。それ故、パスワードを知らなければ、不揮発性メモリに保存された画像データを他の複合機でプリントすること、及び、画像データをコンピュータで開いてディスプレイに表示させること等ができない。その結果、原稿から読み取られた画像データが着脱可能な不揮発性メモリに保存されるときの情報の機密性を保持できる。
【００１２】
また本発明によれば、画像読取装置の記憶部に記憶されたパスワードを用いて画像データにプロテクトがかけられるため、パスワードの設定を個々のユーザに任せる構成等に比してパスワードの管理が容易である。
【００１３】
また、画像データにプロテクトをかけるときにユーザのパスワードの入力等が不要であるため、ユーザの操作の負担を軽減できる。
【００１４】
また本発明によれば、ＲＦＩＤタグから読み取られたパスワードを用いて画像データにプロテクトがかけられるため、パスワードの設定を個々のユーザに任せる構成等に比してパスワードの管理が容易である。
【００１５】
また、画像データにプロテクトをかけるときにユーザのパスワードの入力等が不要であるため、ユーザの操作の負担を軽減できる。
【００１６】
また、容易に書類（原稿）ごとにパスワードを設定することができ、各書類の特性に応じた機密性の管理が行える。
【００１７】
また本発明によれば、不揮発性メモリとしてフラッシュメモリが用いられるため、大容量の画像データであっても高速で書き込み及び読み出しを行える。
【００１８】
また本発明によれば、パスワードを知らなければ不揮発性メモリに保存された画像データを開くことができないようにプロテクトがかけられるため、着脱可能な不揮発性メモリに保存される画像データの機密性を確実に保持できる。
【００１９】
また本発明によれば、パスワードを用いて画像データが暗号化されて不揮発性メモリに保存されるため、着脱可能な不揮発性メモリに保存される画像データの機密性をより確実に保持できる。
【発明を実施するための最良の形態】
【００２０】
図１は、本発明の一実施形態に係る画像読取装置としてのファクシミリ複合機（以下、単に「複合機」という）のブロック図である。この複合機１は、図１に示すように、制御部としてのＭＰＵ（Micro Processing Unit）１１、ＮＣＵ（Network Control Unit）１２、モデム（MODEM）１３、画像読取部としてのＣＣＤ（Charge Coupled Device）１４、読取画像処理回路１５、ＲＦＩＤリーダ１６、操作パネル１７、ＲＯＭ（Read Only Memory）１８、記憶部としてのＳＲＡＭ（Static Random Access Memory）１９、画像メモリ２０、プリンタ２１、及び、メモリ接続部としてのＵＳＢインターフェース２２を備えている。この複合機１に備えられる機能には、プリンタ機能、ファクシミリ機能、コピー機能、及びスキャナ機能等が含まれる。
【００２１】
ＭＰＵ１１は、この複合機１の制御を統括するものであり、ソフトウェアにより動作する。ＮＣＵ１２は、アナログの公衆電話回線網との回線の接続等を行うハードウェアであり、必要に応じてモデム１３を公衆電話回線網と接続する。モデム１３は、ファクシミリ通信が可能なファクシミリモデムから構成されている。
【００２２】
ＣＣＤ１４は、原稿３１の画像を読み取る素子であり、図示しないフラットベットスキャナ内に備えられる読取ユニットに備えられる。読取ユニットは、プラテンガラス上に載せられた原稿３１の画像を読み取るときは、図示しない移動機構により原稿３１の副走査方向に移動されつつ原稿の画像を読み取る。フラットベットスキャナの上側には、図示しない自動原稿送り装置が備えられる。自動原稿送り装置を用いた原稿３１の読み取りでは、自動原稿送り装置によって搬送される原稿３１が搬送路内の所定の読取位置を通過するときに、原稿３１の画像がＣＣＤ１４によって読み取られる。
【００２３】
読取画像処理回路１５は、ＣＣＤ１４から与えられた画像データに対して画像処理を施す。ＲＦＩＤリーダ１６は、ＭＰＵ１１の制御により、そのアンテナ３２を用いて原稿３２に付与されたＲＦＩＤタグ３３との間で無線電波信号のやり取りを行い、ＲＦＩＤタグ３３に記録された情報の読み出し等を行う。このＲＦＩＤリーダ１６による読み取りは、例えば、原稿３１が原稿セット部（プラテンガラス上又は自動原稿送り装置の原稿トレイ）にセットされたことが図示しない原稿センサにより検知されたときに行われる。あるいは、原稿３１が原稿セット部にセットされ、後述の操作パネル１７に設けられた読み取りを指示するスタートキーが操作されたときに、ＲＦＩＤリーダ１６による読み取りが行われてもよい。さらに他の例として、原稿３１が原稿セット部にセットされ、操作パネル１７からの操作により画像データの保存先に後述のＵＳＢメモリ３５が指定され、読み取りを指示するスタートキーが操作されたときに、ＲＦＩＤリーダ１６による読み取りが行われてもよい。
【００２４】
操作パネル１７は、複合機１の操作のために用いられるものであり、キーボード、液晶表示部等を備える。この操作パネル１７には、原稿の読み取り等を指示するためのスタートキーなどが備えられる。
【００２５】
ＲＯＭ１８には、ＭＰＵ１１に読み込まれる各種ソフトウェア及び設定データ等が保存されている。ＳＲＡＭ１９には、電話帳データ等が記憶されている。またＳＲＡＭ１９内の記憶領域３４には、ＣＣＤ１４によって読み取った画像データに対してプロテクトをかける際に使用するパスワードが記憶されている。
【００２６】
画像メモリ２０は、ファクシミリで送信及び受信される画像データ、ＣＣＤ１４によって読み取られた画像データ等が保存される。プリンタ２１は、ＣＣＤ１４により原稿から読み取られた画像データ、ファクシミリで受信された画像データ等を記録紙にプリントする。
【００２７】
ＵＳＢインターフェース２２は、ＵＳＢメモリ３５が着脱可能に接続され、接続されたＵＳＢメモリ３５に対して情報の書き込み及び読み出しを行う。ＵＳＢインターフェース２２にＵＳＢメモリ３５を接続することにより、例えばＣＣＤ１４により原稿から読み取れた画像データをＵＳＢメモリ３５に保存できる。なお、本実施形態では、着脱可能な不揮発性メモリの一例としてＵＳＢメモリ３５を用いたが、コンパクトフラッシュ（登録商標）等の他のフラッシュメモリを用いてもよく、あるいは更に他の不揮発性メモリを用いてもよい。
【００２８】
そこで、本実施形態では、この画像データにＵＳＢメモリ３５に保存される際の情報の機密保持を図るべく、対策が施されている。本実施形態では、ＣＣＤ１４が読み取った画像データの保存先にＵＳＢメモリ３５が指定された場合において、ＭＰＵ１１は、ＲＦＩＤリーダ１６が原稿３１のＲＦＩＤタグ３３から読み取った情報に基づいて、その画像データを機密にすべきか否かを判断する。そして、ＭＰＵ１１は、その画像データを機密にすべきと判断した場合には、閲覧にパスワードの入力を必要とするプロテクトをかけた態様で、画像データをＵＳＢメモリ３５に保存する。一方、画像データを機密にすべき必要がない場合には、ＭＰＵ１１は、画像データをプロテクトをかけないでＵＳＢメモリ３５に保存する。
【００２９】
画像データにプロテクトをかける際のパスワードには、ＳＲＡＭ１９の記憶領域３４に予め記憶されているパスワードが用いられる。画像データに施すプロテクトの方式としては種々のものが採用できるが、例えば、第１の方式として、画像データのファイルがパスワードの入力なしには開けなくする方式が採用できる。この場合、ＵＳＢメモリ３５に保存された画像データのファイルを開く（実行する）ときには、パスワードの入力が要求され、適切なパスワードが入力されないときにはファイルを開けない。
【００３０】
第２の方式として、パスワードを暗号キーとして用いて画像データを暗号化してＵＳＢメモリ３５に保存する方式が採用できる。この場合、暗号キーであるパスワードを入力しないと暗号化された画像データを復元できないため、パスワードを知らない第三者はＵＳＢメモリ３５に保存された画像データの内容を閲覧できない。この第２の方式は、単独で用いてもよいし、第１の方式と組み合わせて用いてもよい。
【００３１】
第３の方式として、画像データのファイル自体に開くときのパスワードを設定又は暗号化を施すのではなく、ファイルが保存されたフォルダについてプロテクトをかけてもよい。この場合のプロテクトの方式としては、パスワードの入力なしにフォルダを開けないようにロックをかける方式、及び、フォルダ内のデータをフォルダごと暗号化する方式等が採用できる。
【００３２】
また、読み取られた画像データをＵＳＢメモリ３５にプロテクトをかけて保存するときには、画像データにプロテクトをかけてからプロテクト付与済みの画像データをＵＳＢメモリ３５に保存するのがよい。他の構成として、プロテクトをかけない状態で画像データをＵＳＢメモリ３５に一旦保存してから、その画像データにプロテクトをかける（あるいは、プロテクトをかけた状態に変換する）ようにしてもよい。
【００３３】
また、ＲＦＩＤタグ３３から読み取った情報に基づいて原稿３１の画像が機密にすべきかを判断する手法としては、種々の具体的な手法が採用できる。本実施形態では、例えば原稿３１にＲＦＩＤタグ３３が付与されているか否か（すなわち、ＲＦＩＤタグ３３が検出されたか否か）に基づいて、画像の機密保持の必要性が判断される。すなわち、ＲＦＩＤタグ３３が付与された原稿３１の画像は機密にすべきと判断され、ＲＦＩＤタグ３３が付与されていない原稿３１の画像は機密の必要がないと判断される。この点に関する他の構成として、ＲＦＩＤタグ３３中に原稿３１の画像データの機密保持の必要性に関する情報を書き込んでおき、その書き込まれた情報に基づいてＭＰＵ１１が画像データの機密保持の必要性について判断してもよい。
【００３４】
また、このような原稿３１から読み取った機密データをＵＳＢメモリ３５に保存する際の機密保持のためのプロテクトをかける機能は、操作パネル１７等を介した操作により、オン、オフの切り替えができる。このオン、オフの切り換え時（特に、機能をオフするとき）には、所定のパスワードの入力が求められるのが好ましい。
【００３５】
図２は、複合機のＭＰＵの読み取った画像データをＵＳＢメモリに保存するときの動作を示すフローチャートである。なお、この図２に示す例では、機密保持の必要のある画像データについては、第１及び第２の２つのパスワードを用いて画像データに対する暗号化等のプロテクトがかけられる。
【００３６】
図２に示すように、ステップＳ１では、原稿３１が複合機１の前記原稿セット部にセットされ、画像データの保存先としてＵＳＢメモリ３５が指定される。続くステップＳ２では、ＭＰＵ１１によって、ＲＦＩＤリーダ１６を介して原稿３１にＲＦＩＤタグ３３が付与されているか否かが判断され、ＲＦＩＤタグ３３が付与されている場合にはステップＳ３に進み、ＲＦＩＤタグ３３が付与されていない場合にはステップＳ６に進む。
【００３７】
ステップＳ３では、スタートボタンの操作に応じて原稿からの画像の読み取りが実行される。続くステップＳ４では、原稿３１から読み取られた画像データに対し、ＳＲＡＭ１９の記憶領域３４に記憶された第１及び第２の２つのパスワードを用いて暗号化等のプロテクトがかけられる。具体的には、例えば、２つのうちの第１のパスワードを用いて画像データのファイルにパスワードの入力がないと開けられないようにロック（プロテクト）がかけられる。これとともに、画像データ又はその画像データを含むファイルについて、残り第２のパスワードを暗号キーとして用いて暗号化が行われる。他の構成として、２つではなく１つのパスワードを用いてファイルのロック又は暗号化の一方あるいはその両方を行うようにしてもよい。そして、ステップＳ５で、プロテクトがかけられた画像データのファイルがＵＳＢメモリ３５に保存される。
【００３８】
一方、原稿３１にＲＦＩＤタグ３３が付与されていない場合には、ステップＳ６にて、スタートボタンの操作に応じて原稿からの画像の読み取りが実行される。そして、ステップＳ７にて、読み取られた画像データのファイルが、プロテクトがかけられることなくＵＳＢメモリ３５に保存される。
【００３９】
図３は、ＵＳＢメモリに保存されたプロテクトがかけられた画像データをパーソナルコンピュータ（以下、「ＰＣ（Personal Computer）」と記す））で開くときの手順を示すフローチャートである。図３に示すように、ステップＳ１１では、ＰＣのＵＳＢインタフェースに接続されたＵＳＢメモリ３５に保存された画像データのファイルに対する実行の指示が受け付けられる。この実行の指示の受け付けに伴い、そのファイルを開くために必要なパスワードの入力が画面の案内用の表示等により求められる。その要求に応じて、ステップＳ１２，１３にて適切な第１及び第２の２つのパスワードが入力された場合には、ステップＳ１４にて、画像データのプロテクトが解除され、画像データの閲覧（例えば、表示、プリント等）が可能となる。
【００４０】
以上のように、本実施形態によれば、ＲＦＩＤタグ３３が付与された原稿３１については、ＲＦリーダ１６によってＲＦＩＤタグ３３が検知されることにより自動的に機密保持が必要と判断される。そして、その原稿３１から読み取られた画像データが、閲覧にパスワードの入力を必要とするプロテクトがかけられた態様でＵＳＢメモリ３５に保存される。それ故、パスワードを知らなければ、ＵＳＢメモリ３５に保存された画像データを他の複合機でプリントすること、及び、画像データをコンピュータで開いてディスプレイに表示させること等ができない。その結果、原稿３１から読み取られた画像データが着脱可能なＵＳＢメモリ３５に保存されるときの情報の機密性を保持できる。特に、本実施形態では、パスワードによる画像データのファイルのロックだけでなく、画像データの暗号化も行われるため、着脱可能なＵＳＢメモリ３５に保存される画像データの機密性をより確実に保持できる。
【００４１】
また、複合機１のＳＲＡＭ１９に記憶されたパスワードを用いて画像データにプロテクトがかけられるため、パスワードの設定を個々のユーザに任せる構成等に比してパスワードの管理が容易である。
【００４２】
また、画像データにプロテクトをかけるときにユーザのパスワードの入力等が不要であるため、ユーザの操作の負担を軽減できる。
【００４３】
また、着脱可能な不揮発性メモリとしてフラッシュメモリの一種であるＵＳＢメモリ３５に保存されるため、大容量の画像データであっても高速で書き込み及び読み出しを行えるとともに、着脱も容易である。
【００４４】
なお、上述の実施形態の変形例として種々の構成が採用できる。例えば、上述の実施形態では、ＳＲＡＭ１９に記憶されたパスワードを用いて画像データにプロテクトをかけた。この点に関する変形例として、原稿３１に付与されたＲＦＩＤタグ３３にパスワードを記憶しておき、ＲＦＩＤタグ３３から読み出したパスワードを用いて画像データにプロテクトをかけてもよい。この構成によれば、容易に書類（原稿３１）ごとにパスワードを設定することができ、各書類の特性に応じた機密性の管理が行える。
【００４５】
また、複合機１１のＭＰＵ１１が、原稿３１に付与されたＲＦＩＤタグ３３から読み取った情報に基づいて、画像データにプロテクトをかける際に用いるパスワード、及びプロテクトの種類のうちのいずれか一方又は両方を切り替えてもよい。プロテクトの種類の切り替えとしては、例えば、画像データのファイルにロックをかけるだけにするのか、ファイルのロックだけでなく画像データの暗号化も行うのか等が切り替えられる。この構成によっても、各書類の特性に応じた機密性の管理が行える。
【図面の簡単な説明】
【００４６】
【図１】本発明の一実施形態に係る画像読取装置としてのファクシミリ複合機のブロック図である。
【図２】図１のファクシミリ複合機のＭＰＵの読み取った画像データをＵＳＢメモリに保存するときの動作を示すフローチャートである。
【図３】ＵＳＢメモリに保存されたプロテクトがかけられた画像データをＰＣで開くときの手順を示すフローチャートである。
【符号の説明】
【００４７】
１  ファクシミリ複合機
１１  ＭＰＵ
１４  ＣＣＤ
１６  ＲＦＩＤリーダ
１９  ＳＲＡＭ
２２  ＵＳＢインターフェース
３１  原稿
３３  ＲＦＩＤタグ
３４  記憶領域
３５  ＵＳＢメモリ
【図１】
2009177379.tif 000003
【図２】
2009177379.tif 000004
【図３】
2009177379.tif 000005